(57)【要約】【課題】蓋体を任意の開放度合の位置で固定し得るようにする。【解決手段】底板２、端面板３，３、側面板８，８とからなる収納部１に、その側面板上縁８ａから蓋体５を延設して内側に折り込んで側面板８に対して直角に固定し、側面板８と蓋体５とをとともに起伏可能とし、側面板８の端部に係止片６を連設して、その係止片６を、前記端面板３に設けたスリット１１から収納部１内に挿入する。蓋体５を開放することにより、側面板８が連動して動いて、前記係止片６の上端部１３が、その端面板３の上縁３ａから延設されて内側に折り込まれた補助片７を上方に押し上げるようにする。係止片６と補助片７とは常に摺動し、蓋体５の開閉の動きに対して適度な抵抗力が生じるので、任意の開閉位置でもってその開放度合を維持するよう固定し得る。また、前記補助片７の上縁１４が、蓋体５下面に当接するので、前記抵抗力がさらに増して蓋体５の固定が安定する。【選択図】図２
2005247340.tif 000002
【特許請求の範囲】
【請求項１】
底板２、左右の端面板３，３、前後の側面板８，８とからなる上面開口した収納部１に、その側面板８，８のいずれか又は双方の上縁８ａから蓋体５を延設して、その蓋体５を、前記上縁８ａを介して内側に折り込んで側面板８に固定し、その蓋体５を設けた側面板８を、蓋体５とともに、底板２に対して前後方向に起伏可能とするとともに、その起伏可能の側面板８の端部に係止片６を連設して、その係止片６を、前記端面板３に設けたスリット１１から収納部１内に挿入し、
前記蓋体５を起こして前記上面開口を開放することにより、側面板８が連動して動いて、前記係止片６の上端部１３が、その端面板３の上縁３ａから延設されて内側に折り込まれた補助片７を上方に押し上げることを特徴とする収納箱。
【請求項２】
前記押し上げられた補助片７の上縁１４が、蓋体５裏面に当接することを特徴とする請求項１に記載の収納箱。
【発明の詳細な説明】
【技術分野】
【０００１】
この発明は、蓋を開放状態に維持できる紙製の収納箱に関するものである。
【背景技術】
【０００２】
菓子類などの食品や、その他小物類を収納する際に使用する従来の紙製収納箱は、底板と前後左右の側壁からなる収納部を設け、その収納部の上面開口を塞ぐ天板を開閉自在に設けたものがある。その天板には、例えば、ミシン目が設けられて、そのミシン目に沿って紙を切り裂くことにより、天板の端部一辺を除く三辺が収納部から切り離されるようになっており、その天板が、残る端部一辺を介して前記収納部に対して開閉可能に支持される蓋を構成するのが一般的である（例えば、特許文献１参照）。
【０００３】
しかし、この種の収納箱では、蓋体を開放状態に維持する手段が設けられていないため、一旦蓋体を開放した後にその蓋体を保持する手を離すと、蓋体が落下して収納箱の開口が閉じてしまう。このため、中身を取り出す際には、その都度、手で蓋体を保持する必要がある。
【０００４】
そこで、収納箱の側壁と蓋体の一部に、その蓋体を一定開度に開放した状態で維持する係止手段を設けた技術が開示されている（例えば、特許文献２、特許文献３参照）。
【特許文献１】実開平５−６５８２６号公報
【特許文献２】実公平３−８５７８号公報
【特許文献３】実開平５−２２３２１号公報
【発明の開示】
【発明が解決しようとする課題】
【０００５】
しかし、特許文献２、特許文献３に記載の収納箱は、前記係止手段が相互に噛み合って係止されることにより蓋体が開放状態に維持されるが、その係止は、前記蓋体の仰角が一定の角度位置、すなわち、前記係止手段が相互に噛み合う状態となる角度位置に蓋体が向く場合にのみ有効である。このため、蓋体を任意の開放度合の位置で固定することができない。
【０００６】
そこで、この発明は、蓋体を任意の開閉度合にある位置で固定できるようにすることを課題とする。
【課題を解決するための手段】
【０００７】
上記の課題を解決するために、この発明は、蓋体の開放と連動して動く係止片を収納部内に設け、その係止片が、収納部の端面側壁上縁に設けて内側に折り込まれた補助片に当接するようにしたのである。このようにすれば、係止片と補助片とは、蓋体が動いた際に常に摺動するので、蓋体の開閉の動きに対して適度な抵抗力が生じる。この抵抗力により、開放された蓋体は手を離しても落下せず、任意の開閉位置でもってその開放度合を維持するよう固定することができる。
【０００８】
収納箱の具体的な構成は、底板、左右の端面板、前後の側面板とからなる上面開口した収納部に、その側面板のいずれか又は双方の上縁から蓋体を延設する。その蓋体を、前記上縁を介して内側に折り込んで側面板に固定し、その蓋体を設けた側面板を、蓋体とともに、底板に対して前後方向に起伏可能とし、その起伏可能の側面板の端部に係止片を連設して、その係止片を、前記端面板に設けたスリットから収納部内に挿入する。蓋体を起こして前記上面開口を開放することにより、側面板が連動して動いて、前記係止片の上端部が、その端面板の上縁から延設されて内側に折り込まれた補助片を上方に押し上げるようにしたのである。
【０００９】
このようにすれば、蓋体、及び側面板の動きと連動して動く前記係止片を、収納部内に容易に設けることができ、また、その係止片は、端面板及びその端面板上縁からやや内側に傾斜するようにして設けられた補助片の双方に摺動して、適度な抵抗力を発揮することができる。また、その係止片の高さ、形状、及び前記補助片の高さ、形状、前記端面板に対する傾斜角度の各要素を組み合わせることにより、前記係止片と補助片との摺動の強さが変化する。この摺動強さを適度に設定することにより、蓋体開閉時の抵抗力を調整することが可能である。
【００１０】
さらに、前記押し上げられた補助片の上端が、前記蓋体裏面に当接するようにした構成を採用し得る。このようにすれば、蓋体と補助片とが摺動するので、前記抵抗力がさらに増して蓋体の固定が安定する。
【発明の効果】
【００１１】
この発明は、以上のようにしたので、蓋体を任意の開閉度合の位置で固定することができ、また、収納箱の用途に応じてその蓋体の開閉抵抗を調整することができる。
【発明を実施するための最良の形態】
【００１２】
一実施形態を図１乃至図４に示し、この実施形態の収納箱１０は、図４に示すカートンを組み立てて形成されるものである。その構成は、図２に示すように、底板２と、その底板２の前後縁から立設された前後側面板８，８、及び同じく底板２の左右縁から立設された左右端面板３，３でもって上面開口した収納部１を構成する。その側面板８，８の双方の上縁８ａ，８ａから上方へ向かって蓋体５，５を延設し、その蓋体５、５を、前記上縁８ａ，８ａを介して内側（収納部１側）に折り込む。
【００１３】
各側面板８，８の両端部には、それぞれ係止片６，６が左右方向外側に向かって連設されており、その係止片６，６がそれぞれ内側に折り込まれる。また、前記各蓋体５，５の両端部には、それぞれ連結片６’，６’が左右方向外側に向かって連設されており、この連結片６’，６’も内側に折り込まれて、前記係止片６，６の外側に糊付け（例えば、図４のＢ，Ｂ’部分）等により固定されている。この固定により、前記各蓋体５，５は、図１に示すように、それぞれ対応する側面板８，８に対して直角に固定される。
【００１４】
両側面板８，８は、それぞれ底板２との折り目線を介して前後方向（両側面板８，８を結ぶ方向）に起伏可能になっており、前記係止片６と連結片６’によって直角に固定された側面板８と蓋体５とが、底板２に対して一体に回動するようになっている、
【００１５】
なお、収納箱１０の未開封時には、一方の側面板８から延設された蓋体５は、その先端５ａ下面が他方の側面板８の蓋体５上面に糊付け（例えば、図４のＡ，Ａ’部分）等により固定されており、図１に示すミシン目５ｃ，５ｃに沿ってジッパー５ｂを切り離すことにより、固定された両蓋体５，５が分離して収納箱１０が開封されるようになっている。
【００１６】
両側面板８，８の両端部に連設された前記両係止片６，６は、図２に示すように、前記端面板３に設けたくの字形のスリット１１から収納部１内に挿入される。この係止片６は、蓋体５を閉じた状態において、図３（ａ）に示すように、その係止片６の下端縁から上方へ向かって設けたスリット１２が、前記端面板３のスリット１１下部へ噛み合わさって係止するようになっている。
【００１７】
この蓋体５を開放する際の作用について説明すると、まず、前記ジッパー５ｂを切り離した後、図２に示すように、前記両蓋体５，５をそれぞれ外側に向かって起こすように回動させて、前記収納箱１０の上面開口を開放する。この開放の際、前記側面板８、蓋体５、係止片６、及び連結片６’は、底板２に対して一体に回動する。このとき、係止片６先端には、図３（ａ）に示すように、上方に向かって突出する上端部１３が設けられており、その上端部１３は、蓋体５が閉じた状態では、端面版３の上縁３ａよりも下方に位置している。
【００１８】
蓋体５が開放されると、蓋体５と一体の側面板８が連動して動いて、前記係止片６の上端部１３が、端面板３の上縁３ａからさらに上方へ飛び出して、図３（ｂ）に示すように、端面板３の上縁３ａから延設されて内側に向かって折り込まれた補助片７の下面を上方に向かって押し上げる。
【００１９】
このとき、前記係止片６は、側面板８から折り目線を介して折り込まれて収納部１内に挿入される以前の状態に戻ろうとする弾性力が作用して、収納部１の外側（図３（ｃ）に示す右側）に向かって付勢されているので、係止片６は、図中右側に押圧されて、端面板３及び補助片７に摺動する。その結果、係止片６は、その上部が反力によりやや内側（図３（ｃ）に示す左側）へ撓むように湾曲し、端面板３及び補助片７に対して柔軟性をもって当接する。この当接、及び摺動により、蓋体５には、その回動の際に適度な抵抗力が生じるので、例えば、蓋体５がある開放度合の位置（仰角位置）にある場合において、その蓋体５及び側面板８を持つ手を離しても、その蓋体５等が落下せずにその開放度合の位置（仰角位置）で維持されるようになっている。また、係止片６が適度に撓むので、その抵抗力が、前記蓋体５の回動を阻害するほどに強くなることがない。
【００２０】
この抵抗力は、蓋体５の回動範囲内において終始作用するので、蓋体５がいかなる開放度合の位置（前記仰角位置）にあっても、その各々の位置において蓋体５の状態を維持させるよう機能する。
【００２１】
さらに、前記補助片７の上縁１４は、蓋体５下面に当接するようになっており、その補助片７は、蓋体５の回動とともに一体に連動して動く係止片６の上端部１３によって常に持ち上げられているので、補助片７の上縁１４と蓋体５下面との当接は常に維持されるようになっている。この当接により、補助片７は、蓋体５がいかなる開放度合の位置にあっても、端面版３の上縁３ａとその蓋体５下面との間で支持されて、前記係止片６の付勢力、摺動に耐え得るようになっている。このため、前記抵抗力を維持し、蓋体５を所定の開閉度合の位置にしっかりと保持するとともに、その蓋体５の開閉を繰り返しても、その抵抗力が蓋体５を保持し得ないほどに弱まることはない。
【００２２】
また、図３（ｂ）に示す、蓋体５を全開した状態において、係止片６外周縁に設けた屈曲部１３ｂと、前記くの字形のスリット１１の屈曲部１１ｂとが噛みあうようになっているので、この噛み合った位置において、蓋体５が回動しようとする際の抵抗力が増し、蓋体５が全開状態にしっかりと固定される。
【００２３】
次に、この蓋体５を閉じる際の作用について説明すると、図３（ｂ）に示す状態から、図３（ａ）に示す状態へと移行する向きに、蓋体５を回動させる。蓋体５が閉鎖されると、端面板３の上縁３ａからさらに上方へ飛び出していた前記係止片６の上端部１３が、図３（ａ）に示すように、端面板３の上縁３ａよりも下方に下がる。
【００２４】
このとき、前記補助片７の上縁１４は、蓋体５下面に当接するようになっているので、その補助片７は、蓋体５の回動とともにその蓋体５下面によって下方に向かって押えられ、その結果、補助片７の上縁１４と蓋体５下面との当接は常に維持されるようになっている。また、係止片６の上端部１３と補助片７下面との当接も同様である。この当接により、補助片７は、蓋体５がいかなる開放度合の位置にあっても、端面版３の上縁３ａと蓋体５下面との間で支持されて、前記係止片６の付勢力に耐え得るようになっている。このため、蓋体５の開放度合にかかわらず、前記抵抗力を維持し得る。
【００２５】
また、蓋体５を全閉した際には、図３（ａ）に示すように、係止片６のスリット１２が、前記端面板３のスリット１１下部へ噛み合わさって係止するので、収納箱１０を一旦開封した後、再度蓋体５を閉じた際に、軽い衝撃や外力等が加わることにより、その蓋体５が簡単に開いてしまわないようになっている。
【００２６】
この実施形態では、図４に示すカートンを用い、蓋体５を前後両側面板８，８の上縁８ａ，８ａにそれぞれ延設したが、この実施形態には限定されず、例えば、蓋体５を一方の側面板８のみに設けて片開き状にした構成を採用してもよい。このとき、その一方の側面板８に設けられた蓋体５は、前記収納部１の上面開口全体を、その１枚の蓋体５でもって開閉し得る大きさ、形状であればよい。また、この実施形態では、収納部１上面に固定された蓋体５を、ジッパー５ｂを切り裂くことによって回動可能な状態に開放するようにしたが、上記いずれの態様においても、蓋体５が収納部１の上面開口を閉じるためのその蓋体５の収納部１への固定方法、及び蓋体５を開封するための手段は自由である。
【００２７】
また、図５に示す収納箱１０の態様も考えられる。この収納箱１０は、図５（ｂ）のカートンに示すように、底板２を挟んでその前後に側面板８，８をそれぞれ設け、その一の側面板８に蓋体５を連設するとともに、その蓋体５を挟んで前記一の側面板８の対側に側面板８’を設けた実施形態である。この収納箱１０を組み立てる際には、前記他の側面板８の外側に前記側面板８’の内側が糊付け等されて固定され、係止片６は、前述の態様の場合と同様に両側面板８，８の両端に設けられる。蓋体５は、その中央部のミシン目５ｃで切り離されて２分割されて、それぞれ両外側にむかって回動して収納箱１０が観音開き状に開放される点は同じであり、また係止片６、補助片７等の効果も同じである。
【００２８】
上記実施形態では、側面板８に対して蓋体５を直角に固定し一体に回動するようにしたが、側面板８に対する蓋体５の固定角度は、直角には限定されず、任意の角度に設定してもよい。また、スリット１１の形状、係止片６の形状も、この実施形態には限定されず、各屈曲部１１ｂ，１３ｂの効果を望まない場合は、この各屈曲部１１ｂ，１３ｂを設けないようにしてもよいし、スリット１２も必要に応じて省略してもよい。
【００２９】
また、上記実施形態では、補助片７の上縁１４は、蓋体５下面に常に当接するように構成したが、補助片７が係止片６との当接、摺動によって一定の抵抗力をもって耐え得る状態にある限りにおいて、補助片７の上縁１４と蓋体５下面との当接は、すべての開放度合の位置において常時当接している必要はない。また、両者を当接しないように設定した構成を採用してもよい。
【図面の簡単な説明】
【００３０】
【図１】一実施形態の閉蓋時を示す斜視図
【図２】同実施形態の開蓋時を示す斜視図
【図３】図１の縦断面図を示し、（ａ）は閉蓋時（未開封時）、（ｂ）は開蓋時、（ｃ）は（ｂ）のｃ−ｃ断面図
【図４】図１の展開図
【図５】他の実施形態を示し、（ａ）は斜視図、（ｂ）は展開図
【符号の説明】
【００３１】
１  収納部
２  底板
３  端面版
５  蓋体
６  係止片
６’  連結片
７  補助片
８，８’  側面板
１０  収納箱
１１，１２  スリット
１１ａ  スリット上部
１１ｂ，１３ｂ  屈曲部
１３  上端部
１４  上縁
【図１】
2005247340.tif 000003
【図２】
2005247340.tif 000004
【図３】
2005247340.tif 000005
【図４】
2005247340.tif 000006
【図５】
2005247340.tif 000007